(57)【要約】      （修正有）【課題】従来の高過塩基性スルホネートと比較して清浄性及び熱安定性に優れ且つ過塩基性清浄剤の提供。【解決手段】アルキル基の限定されたアルカリ金属のアルキル芳香族スルホネートとアルキルヒドロキシ安息香酸又はそのアルカリ金属又はアルカリ土類金属塩或るいは硫化又は非硫化アルキルフェノール又はそのアルカリ金属又はアルカリ土類金属塩の界面活性剤組成物をアルカリ土類金属塩及び酸性補助試薬と反応させたもの。【選択図】なし【特許請求の範囲】
【請求項１】
下記の工程からなる方法により得られた生成物を含む潤滑油添加剤：
（Ｉ）下記の成分を含む界面活性剤組成物を調製する：
（Ａ）下記成分からなる少なくとも一種のアルカリ土類金属のアルキル芳香族スルホネート：
（ｉ）線状モノアルキル基が炭素原子約１４〜４０個を含み、線状アルキル鎖の１又は２位に位置する芳香族スルホネート基のモル％が約９％乃至７０％である線状モノアルキル芳香族スルホネート約５０質量％乃至１００質量％、および
（ii）分枝鎖アルキル基が炭素原子約１４〜３０個を含む分枝鎖モノアルキル芳香族スルホネート約０質量％乃至５０質量％、および
（Ｂ）下記成分からなる群より選ばれる少なくとも一種の油溶性反応体：
（ｉ）アルキルヒドロキシ安息香酸またはそのアルカリ金属又はアルカリ土類金属塩、
（ii）下記工程により得られたカルボキシレート清浄分散剤：
（ａ）アルキルフェノールをアルカリ土類金属塩基を用いて中和して中間体を生成させる、そして
（ｂ）原料のアルキルフェノール出発物質の少なくとも５質量％がアルカリ土類金属単芳香環炭化水素サリチレートに変換されるように、中間体を二酸化炭素を用いてカルボキシ化する、および
（iii）硫化又は非硫化アルキルフェノールまたはそのアルカリ金属又はアルカリ土類金属塩、
ただし、（Ｂ）（ｉ）乃至（Ｂ）（iii）の各々のアルキル基は独立に、炭素原子数約９〜１６０の線状又は分枝鎖アルキル基、または線状及び分枝鎖アルキル基の混合物である、そして
（II）得られた界面活性剤組成物を、アルカリ土類金属源および少なくとも一種の酸性補助試薬と反応させる。
【請求項２】
線状モノアルキル芳香族スルホネートのアルキル基が炭素原子約１８〜３０個を含む請求項１に記載の潤滑油添加剤。
【請求項３】
線状モノアルキル芳香族スルホネートのアルキル基が炭素原子約２０〜２４個を含む請求項２に記載の潤滑油添加剤。
【請求項４】
線状アルキル鎖の１又は２位に位置する芳香族スルホネート基のモル％が約１０％から３０％の間にある請求項１に記載の潤滑油添加剤。
【請求項５】
線状アルキル鎖の１又は２位に位置する芳香族スルホネート基のモル％が約１３％から２５％の間にある請求項４に記載の潤滑油添加剤。
【請求項６】
線状アルキル鎖の１又は２位に位置する芳香族スルホネート基のモル％が約１５％から２５％の間にある請求項５に記載の潤滑油添加剤。
【請求項７】
請求項１の（Ａ）（ｉ）に規定した線状モノアルキル芳香族スルホネートの線状モノアルキル基が、炭素原子約１８〜４０個を含むノルマルアルファオレフィンから誘導されたものである請求項１に記載の潤滑油添加剤。
【請求項８】
請求項１の（Ａ）（ｉ）に規定した線状モノアルキル芳香族スルホネートの線状モノアルキル基が、炭素原子約２０〜２４個を含むノルマルアルファオレフィンから誘導されたものである請求項７に記載の潤滑油添加剤。
【請求項９】
請求項１の（Ａ）（ii）に規定した分枝鎖モノアルキル芳香族スルホネートの分枝鎖モノアルキル基が、炭素原子約１４〜１８個を含む請求項１に記載の潤滑油添加剤。
【請求項１０】
請求項１の（Ａ）（ii）に規定した分枝鎖モノアルキル芳香族スルホネートの分枝鎖アルキル基が、プロピレンの重合体から誘導されたものである請求項１に記載の潤滑油添加剤。
【請求項１１】
（Ｂ）（ｉ）乃至（Ｂ）（iii）の各々のアルキル基が独立に、炭素原子約１２〜５０個を含む請求項１に記載の潤滑油添加剤。
【請求項１２】
（Ｂ）（ｉ）乃至（Ｂ）（iii）の各々のアルキル基の少なくとも１０質量％が、炭素原子数約１８〜３０の線状アルキル基である請求項１に記載の潤滑油添加剤。
【請求項１３】
（Ｂ）（ｉ）乃至（Ｂ）（iii）の各々のアルキル基の少なくとも２０質量％が、炭素原子数約１８〜３０の線状アルキル基である請求項１２に記載の潤滑油添加剤。
【請求項１４】
（Ｂ）（ｉ）乃至（Ｂ）（iii）の各々のアルキル基の少なくとも５０質量％が、炭素原子数約１８〜３０の線状アルキル基である請求項１３に記載の潤滑油添加剤。
【請求項１５】
（Ｂ）が少なくとも一種の（Ｂ）（ｉ）または（Ｂ）（ii）である場合で、（Ｂ）（ｉ）乃至（Ｂ）（iii）の各々のアルキル基の少なくとも１０質量％が、炭素原子数約１８〜３０の線状アルキル基である請求項１に記載の潤滑油添加剤。
【請求項１６】
（Ｂ）が少なくとも一種の（Ｂ）（ｉ）または（Ｂ）（ii）である場合で、（Ｂ）（ｉ）乃至（Ｂ）（iii）の各々のアルキル基の少なくとも２０質量％が、炭素原子数約１８〜３０の線状アルキル基である請求項１５に記載の潤滑油添加剤。
【請求項１７】
（Ｂ）（ii）（ｂ）に規定した原料のアルキルフェノール出発物質の少なくとも１０質量％が、アルカリ土類金属単芳香環炭化水素サリチレートに変換される請求項１に記載の潤滑油添加剤。
【請求項１８】
（Ｂ）（ii）（ｂ）に規定した原料のアルキルフェノール出発物質の少なくとも２０質量％が、アルカリ土類金属単芳香環炭化水素サリチレートに変換される請求項１７に記載の潤滑油添加剤。
【請求項１９】
アルカリ土類金属がカルシウムである請求項１に記載の潤滑油添加剤。
【請求項２０】
酸性補助試薬が二酸化炭素またはホウ酸またはそれらの混合物である請求項１に記載の潤滑油添加剤。
【請求項２１】
界面活性剤組成物中のフェノールの比率が１５質量％未満である請求項１に記載の潤滑油添加剤。
【請求項２２】
潤滑油添加剤の全塩基価が約２５０より大きい請求項１に記載の潤滑油添加剤。
【請求項２３】
潤滑油添加剤の全塩基価が約４００より大きい請求項２２に記載の潤滑油添加剤。
【請求項２４】
下記の成分を含む潤滑油組成物：
（Ａ）主要量の潤滑粘度の基油、
（Ｂ）少量の請求項１に記載の潤滑油添加剤。
【請求項２５】
潤滑粘度の基油および請求項１に記載の潤滑油添加剤を混合することからなる潤滑油組成物の製造方法。
【請求項２６】
油圧装置に請求項２４に記載の潤滑油組成物を接触させることからなる油圧装置の潤滑方法。
【発明の詳細な説明】
【技術分野】
【０００１】
本発明は、潤滑油用の清浄剤に関するものである。特には、本発明は、陸用及び船用機関内の機械部品を潤滑にするのに有効な過塩基性清浄剤に関する。以下に、そのような過塩基性清浄剤の製造および使用について記載する。
【背景技術】
【０００２】
過塩基性清浄剤が潤滑特性をもたらすことについては、多く記載されている。往々にしてそのような清浄添加剤は他の潤滑油添加剤と一緒に添加されて、一定の所望の潤滑特性を示す潤滑油組成物を与えている。過塩基性アルカリ金属又はアルカリ土類金属スルホネートはその一例である。
【０００３】
特許文献１には、清浄性および分散性が改善されたアルカリ土類金属アラルキルスルホネートが記載されている。
【０００４】
特許文献２には、少なくとも二種類の界面活性剤で、そのうちの少なくとも一種は硫化又は非硫化フェノールであるか、あるいはそのうちの少なくとも他の一種はフェノール以外のもの、例えばスルホン酸誘導体である界面活性剤から誘導された界面活性剤組成物からなるカルシウム過塩基性清浄剤であって、界面活性剤組成物中のフェノールの比率が少なくとも３５質量％であり、そして該清浄剤のＴＢＮ／％界面活性剤比が少なくとも１５である清浄剤が記載されている。
【０００５】
特許文献３には、少なくとも二種類の界面活性剤で、そのうちの少なくとも一種は硫化又は非硫化フェノールであるか、あるいはそのうちの少なくとも他の一種は硫化又は非硫化サリチル酸である界面活性剤から誘導された界面活性剤組成物からなるカルシウム過塩基性清浄剤であって、界面活性剤組成物中の該フェノールと該サリチル酸の総比率が少なくとも５５質量％であり、そして該清浄剤のＴＢＮ／％界面活性剤比が少なくとも１１である清浄剤が記載されている。
【０００６】
特許文献４には、少なくとも二種類の界面活性剤で、そのうちの少なくとも一種は硫化又は非硫化フェノールであるか、あるいはそのうちの少なくとも他の一種はフェノール以外のもの、例えばアルキルアリールスルホネートである界面活性剤から誘導された界面活性剤組成物からなるカルシウム過塩基性清浄剤であって、界面活性剤組成物中のフェノールの比率が少なくとも１５質量％であり、そして該清浄剤のＴＢＮ／％界面活性剤比が少なくとも２１である清浄剤が記載されている。
【０００７】
特許文献５には、少なくとも二種類の金属含有清浄剤の混合物、すなわちａ）フェネート、スルホネート、サリチレート、ナフテネートまたは金属カルボキシレートと、ｂ）少なくとも二種類の界面活性剤で、そのうちの少なくとも一種は硫化又は非硫化フェノールであるか、あるいは少なくとも他の一種はフェノール以外のものである界面活性剤から誘導された界面活性剤組成物からなる過塩基性カルシウム清浄剤であって、界面活性剤組成物中のフェノールの比率が少なくとも４５質量％であり、そして該清浄剤のＴＢＮ／％界面活性剤比が少なくとも１４である清浄剤との混合物を含む潤滑油組成物が記載されている。
【０００８】
【特許文献１】欧州特許出願公開第１０５９３０１Ａ１号明細書
【特許文献２】国際公開第ＷＯ９７／４６６４４号パンフレット
【特許文献３】国際公開第ＷＯ９７／４６６４５号パンフレット
【特許文献４】国際公開第ＷＯ９７／４６６４７号パンフレット
【特許文献５】国際公開第ＷＯ９９／２８４２２号パンフレット
【発明の開示】
【発明が解決しようとする課題】
【０００９】
本発明は、陸用及び船用機関、例えば油圧装置、変速機、二ストローク及び四ストローク車両用機関、トランクピストン及び二ストローク・クロスヘッド船用機関内の機械部品を潤滑にするのに有効な潤滑油添加剤として、過塩基性清浄剤を提供することにある。
【課題を解決するための手段】
【００１０】
本発明は、陸用及び船用機関、例えば油圧装置、変速機、二ストローク及び四ストローク車両用機関、トランクピストン及び二ストローク・クロスヘッド船用機関内の機械部品を潤滑にするのに有効な潤滑油添加剤として、過塩基性清浄剤を提供する。従って、本発明は、下記の工程からなる方法により得られた生成物からなる潤滑油添加剤に関する：
（Ｉ）下記の成分をふくむ界面活性剤組成物を調製する：
（Ａ）下記成分からなる少なくとも一種のアルカリ土類金属のアルキル芳香族スルホネート：
（ｉ）線状モノアルキル基が炭素原子約１４〜４０個を含み、線状アルキル鎖の１又は２位に位置する芳香族スルホネート基のモル％が約９％乃至７０％である線状モノアルキル芳香族スルホネート約５０質量％乃至１００質量％、および
（ii）分枝鎖アルキル基が炭素原子約１４〜３０個を含む分枝鎖モノアルキル芳香族スルホネート約０質量％乃至５０質量％、および
（Ｂ）下記成分からなる群より選ばれる少なくとも一種の油溶性反応体：
（ｉ）アルキルヒドロキシ安息香酸またはそのアルカリ金属又はアルカリ土類金属塩、
（ii）下記工程により得られたカルボキシレート清浄分散剤：
（ａ）アルキルフェノールをアルカリ土類金属塩基を用いて中和して中間体を生成させる、そして
（ｂ）最初のアルキルフェノール出発物質の少なくとも５質量％がアルカリ土類金属単芳香環炭化水素サリチレートに変換されるように、中間体を二酸化炭素を用いてカルボキシ化する、および
（iii）硫化又は非硫化アルキルフェノールまたはそのアルカリ金属又はアルカリ土類金属塩、
ただし、（Ｂ）（ｉ）乃至（Ｂ）（iii）の各々のアルキル基は独立に、炭素原子数約９〜１６０の線状又は分枝鎖アルキル基、または線状及び分枝鎖アルキル基の混合物である、そして
（II）得られた界面活性剤組成物を、アルカリ土類金属源および少なくとも一種の酸性補助試薬と反応させる。
【００１１】
線状モノアルキル芳香族スルホネートの線状モノアルキル基は、炭素原子約１８〜３０個を含むアルキル基から誘導されることが好ましく、より好ましくは炭素原子約２０〜２４個を含むアルキル基から誘導される。線状モノアルキル芳香族スルホネートの線状モノアルキル基は、好ましくは炭素原子約１８〜４０個、より好ましくは炭素原子約２０〜２４個を含むノルマルアルファオレフィンから誘導される。
【００１２】
線状アルキル鎖の１又は２位に位置する芳香族スルホネート基のモル％は、約１０％乃至３０％であることが好ましく、より好ましくは約１３％乃至２５％であり、そして最も好ましくは約１５％乃至２５％である。
【００１３】
分枝鎖モノアルキル芳香族スルホネートの分枝鎖モノアルキル基は、炭素原子約１４〜１８個を含むことが好ましい。得られた出発モノアルキル芳香族化合物の分子量は、約３３０かそれ以下である。分枝鎖モノアルキル芳香族スルホネートのアルキル基は、プロピレンの重合体から誘導されることが好ましい。
【００１４】
（Ｂ）（ｉ）乃至（Ｂ）（iii）の各々のアルキル基の好ましくは少なくとも１０質量％、より好ましくは少なくとも２０質量％、最も好ましくは少なくとも５０質量％は、炭素原子数約１８〜３０の線状アルキルである。
【００１５】
さらに、（Ｂ）が少なくとも一種の（Ｂ）（ｉ）または（Ｂ）（ii）である場合で、（Ｂ）（ｉ）乃至（Ｂ）（iii）の各々のアルキル基の好ましくは少なくとも１０質量％、より好ましくは少なくとも２０質量％は、炭素原子数約１８〜３０の線状アルキルである。
【００１６】
（Ｂ）（ii）（ｂ）に規定した最初のアルキルフェノール出発物質の好ましくは少なくとも１０質量％、より好ましくは少なくとも２０質量％は、アルカリ土類金属単芳香環炭化水素サリチレートに変換される。
【００１７】
酸性補助試薬は、二酸化炭素またはホウ酸またはそれらの混合物であることが好ましい。
【００１８】
界面活性剤組成物中のフェノールの比率は、１５質量％以下であることが好ましい。
【００１９】
潤滑油添加剤の全塩基価（ＴＢＮ）は、約２５０より大きいことが好ましく、より好ましくは４００より大きい。
【００２０】
別の態様では、本発明は、主要量の潤滑粘度の基油および少量の本発明の潤滑油添加剤を含む潤滑油組成物に関する。
【００２１】
また別の態様では、本発明は、潤滑粘度の基油および本発明の潤滑油添加剤を混合することからなる本発明の潤滑油組成物の製造方法に関する。
【００２２】
更に別の態様では、本発明は、油圧装置に本発明の潤滑油組成物を接触させることにより油圧装置を潤滑にする方法に関する。
【発明の効果】
【００２３】
数ある因子のうちでも、本発明は、ある種の過塩基性清浄剤を含む潤滑油添加剤が改善された潤滑特性を示すという驚くべき発見に基づいている。つまり、本発明の潤滑油添加剤は、清浄性および熱安定性の改善をもたらし、そして従来の清浄剤よりもフェネートとの混合性が良好である。本発明は、陸用及び船用機関、例えば油圧装置、変速機、二ストローク及び四ストローク車両用機関、トランクピストン及び二ストローク・クロスヘッド船用機関内の機械部品を潤滑にするのに有用な各種の用途を有する。
【発明を実施するための最良の形態】
【００２４】
本発明について詳しく述べる前に、以下の用語は、特に断わらない限り下記の意味を有する。
【００２５】
［定義］
「アルカリ土類金属」は、カルシウム、バリウム、マグネシウム、およびストロンチウムを意味し、カルシウムが好ましい。
【００２６】
「アルカリ金属」又は「アルカリ性金属」は、リチウム、ナトリウム、またはカリウムを意味し、カリウムが好ましい。
【００２７】
「アリール基」は、置換又は非置換芳香族基、例えばフェニル基、トリル基、キシリル基、エチルフェニル基、およびクメニル基を意味する。
【００２８】
「炭化水素基」は、アルキル基、またはアルケニル基を意味する。
【００２９】
「線状アルキル鎖の１又は２位に位置する芳香族スルホネート基のモル％」とは、線状アルキル鎖の第一位と第二位に位置して線状アルキル鎖に固定された全芳香族スルホネート基のモルパーセントを意味する。
【００３０】
「過塩基性」は、金属塩又は錯体の一種を意味する。
これらの物質は、「塩基性」、「超塩基性」、「超過塩基性」、「錯体」、「金属錯体」、および「高金属含有塩」等とも称される。過塩基性生成物は、金属および金属と反応する特定の酸性有機化合物、例えばスルホン酸の化学量論に従って存在する量よりも過剰の金属含量によって特徴付けられる金属塩又は錯体である。
【００３１】
「界面活性剤」は、塩とされた潤滑剤を意味する（「アルキルアリールスルホン酸」として表されるアルカリ土類金属炭化水素スルホネート、「ヒドロキシ安息香酸」として表されるアルカリヒドロキシベンゾエート、「ヒドロキシ安息香酸」として表されるアルカリ土類金属アルキルカルボキシレート、「フェノール」として表されるアルカリアルキルフェネート、「フェノール」として表されるアルカリ土類金属アルキルフェネート）。
【００３２】
「全界面活性剤」は、界面活性剤組成物の（Ａ）および（Ｂ）として前に規定した全ての潤滑剤のうちの塩とされた部分を意味する。
【００３３】
「遊離アルキルフェノール」は、アルカリ又はアルカリ土類金属アルキルフェネートの透析から生じる非塩性生成物を意味する。全界面活性剤に対するフェノールの比は、塩とされたアルキルフェノールのみの量から決定される。
【００３４】
「全塩基価」又は「ＴＢＮ」は、生成物１グラムを中和するのに要するＫＯＨのミリグラムの当量数を意味する。従って、ＴＢＮが高いほど、生成物の過塩基性が強いこと、その結果、酸を中和するための塩基を多く保有することを反映している。生成物のＴＢＮは、ＡＳＴＭ標準規格第Ｄ２８９６番または同等の方法により決定することができる。
【００３５】
本発明の記載において、アルキルフェネート、アルキルアリールスルホネート、アルキルカルボキシレートおよびアルキルヒドロキシベンゾエート界面活性剤の含量はそれぞれ、それらの遊離形（塩ではない状態）、すなわちフェノール、アルキルアリールスルホン酸およびヒドロキシ安息香酸の形で表す。それら各自の比率は、全界面活性剤のパーセントとして下記の方法に従う化学分析により得られる。
【００３６】
［化学分析による界面活性剤の含量の決定］
１）透析
原理：透析は、溶媒による分子抽出に相当する用語である。既知量（およそ２０ｇ）の潤滑油添加剤組成物（Ａ）を、ラテックス製の指状の型に注ぐ。溶媒を還流しながら生成物を洗浄して、未反応成分（アルキルフェノール＋油）が膜（透析液）を通って移動するようにする。
【００３７】
塩とされた部分（アルカリ土類金属又はアルカリ金属塩）は膜の内側に残留し、これを「残渣」と呼ぶ。１００℃かそれ以上の温度で乾燥した後、乾燥した残渣のグラムで表した質量を残渣Ａ１と呼ぶ。液体試料中の乾燥残渣のパーセントＡ２は、次式で与えられる：  Ａ２  ＝  （Ａ１／Ａ）×１００
【００３８】
２）全界面活性剤パーセントの決定
既知量（およそ１０ｇ）の上記の乾燥残渣（Ｂ）を、塩酸（酸性化／加水分解が完全であるような量の）で加水分解する。エーテルで抽出して、二つの相を得る：
−ＣａＣｌ2のような無機塩を含む水性相、および
−界面活性剤を酸性形、すなわちフェノール、アルキルアリールスルホン酸およびヒドロキシ安息香酸として含む有機エーテル系相。加水分解した乾燥残渣を生成させるために、この相を乾燥したのちエーテルを減圧下、１１０℃で蒸発させる。次いで、これを計量して質量Ｂ１（ｇ）を得る。
−出発組成物中の全界面活性剤パーセントは、次式で与えられる：
Ｘ  ＝  （Ｂ１／Ｂ）×Ａ２
【００３９】
３）Ｙ＝ＴＢＮ／％全界面活性剤比の算出
Ｙ  ＝   潤滑油組成物のＴＢＮ／Ｘ
（ただし、Ｘは前記式で定義した通りである。）
【００４０】
４）各界面活性剤（非塩状態）のパーセントの決定
上記のようにして得られた既知量（およそ１ｇ）の加水分解乾燥残渣（Ｓｇ）の分析を行う。
【００４１】
ジブチルアミンを用いた電位差滴定法により、アルキルアリールスルホン酸のパーセントＳ１を得る。
【００４２】
フェノール＋ヒドロキシ安息香酸のパーセントは１００−Ｓ１である。テトラブチルアンモニウム水酸化物を用いた電位差滴定法により、フェノールのパーセント（Ｓ２）およびヒドロキシ安息香酸のパーセント（Ｓ３）を得る。
【００４３】
［アルキル芳香族スルホネート］
本発明に用いられるアルキル芳香族スルホネートは、約５０質量％乃至１００質量％の線状モノアルキル芳香族スルホネートと、約０質量％乃至５０質量％の分枝鎖モノアルキル芳香族スルホネートとから構成されることに特徴がある。ある好ましい態様では、アルキル芳香族スルホネートは１００質量％の線状モノアルキル芳香族スルホネートである。別の好ましい態様ではアルキル芳香族スルホネートは、約５０質量％乃至９９質量％、好ましくは約５０質量％乃至７０質量％の線状モノアルキル芳香族スルホネートと、約１質量％乃至９９質量％、好ましくは約３０質量％乃至５０質量％の分枝鎖モノアルキル芳香族スルホネートとの混合物である。この混合物は、潤滑油用の清浄分散添加剤として有用である。
【００４４】
（線状モノアルキル芳香族スルホネート）
線状モノアルキル芳香族スルホネートの線状モノアルキル基は、炭素原子を約１４〜４０個、好ましくは約１８〜３０個、より好ましくは約２０〜２４個含んでいる。線状モノアルキル基は、炭素原子を好ましくは約１４〜４０個、より好ましくは約２０〜２４個含むノルマルアルファオレフィンから誘導されることが好ましい。線状アルキル鎖の１又は２位に位置する芳香族スルホネート基のモル％は、約１０％乃至３０％であることが好ましく、より好ましくは約１３％乃至２５％、そして最も好ましくは約１５％乃至２５％である。
【００４５】
（分枝鎖モノアルキル芳香族スルホネート）
分枝鎖モノアルキル芳香族スルホネートの分枝鎖モノアルキル基は、炭素原子を約１４〜１８個含んでいる。得られた出発モノアルキル芳香族化合物の分子量は約３００かそれ以下である。分枝鎖モノアルキル芳香族スルホネートのアルキル基は、プロピレンの重合体から誘導されることが好ましい。
【００４６】
（アルキル芳香族スルホネートの混合物）
ある態様では、アルカリ土類金属のアルキル芳香族スルホネートの混合物は、対応する線状モノアルキル芳香族炭化水素と分枝鎖モノアルキル芳香族炭化水素を混合し、モノアルキル芳香族炭化水素の混合物をスルホン化し、そして得られたアルキル芳香族スルホン酸を過剰のアルカリ土類金属塩基と反応させることにより製造される。
【００４７】
別の態様では、各アルキル芳香族スルホン酸を別個に製造し、それらを混合し、そしてそれらを過剰の塩基と反応させることにより、アルカリ土類金属アルキル芳香族スルホネートの混合物が製造される。
【００４８】
第三の態様では、混合物の組成の構成成分となる各アルキル芳香族スルホネートを別個に製造し、そしてそれらを要求された比率で混合することにより、アルカリ土類金属アルキル芳香族スルホネートの混合物が製造される。
【００４９】
アルカリ土類金属アルキル芳香族スルホネートの混合物は、カルシウムアルキルアリールスルホネート混合物であることが好ましい。
【００５０】
［アルカリ金属又はアルカリ土類金属アルキルヒドロキシ安息香酸］
本発明に用いられるアルカリ金属アルキルヒドロキシ安息香酸は、存在するとすれば、一般には下記（Ｉ）式に示すような構造を有する。
【００５１】
【化１】
2005179684.tif 000002
【００５２】
式中、Ｒは、線状又は分枝鎖の脂肪族基である。好ましくは、Ｒはアルケニル基またはアルキル基である。より好ましくは、Ｒはアルキル基である。Ｍは、リチウム、ナトリウムおよびカリウムからなる群より選ばれるアルカリ金属である。カリウムが好ましいアルカリ金属である。
【００５３】
アルキルヒドロキシ安息香酸のアルカリ土類金属塩も、本発明での使用が考慮される。好適なアルカリ土類金属塩としては、カルシウム、バリウム、マグネシウムおよびストロンチウム塩が挙げられる。好ましいアルキルヒドロキシ安息香酸のアルカリ土類金属塩はカルシウム塩である。
【００５４】
上記（Ｉ）式において、Ｒが線状脂肪族基であるとき、Ｒは一般には炭素原子約２０〜４０個からなり、好ましくは約２２〜４０個、そしてより好ましくは約２０〜３０個からなる。
【００５５】
Ｒが分枝鎖脂肪族基であるとき、Ｒは一般には炭素原子約９〜４０個からなり、より好ましくは約１２〜２０個からなる。そのような分枝鎖脂肪族基は、プロピレンまたはブテンのオリゴマーから誘導されることが好ましい。
【００５６】
Ｒはまた、線状又は分枝鎖脂肪族基の混合物を表してもよい。好ましくはＲは、炭素原子約２０〜３０個を含む線状アルキルと炭素原子約１２個を含む分枝鎖アルキルの混合物を表す。
【００５７】
Ｒが脂肪族基の混合物を表すとき、本発明に用いられるアルカリ金属又はアルカリ土類金属アルキルヒドロキシ安息香酸は、線状基の混合物、分枝鎖基の混合物または線状基と分枝鎖基の混合物を含んでいてもよい。よって、Ｒは、線状脂肪族基、好ましくはアルキルの混合物、例えばＣ14〜Ｃ18、Ｃ16〜Ｃ18、Ｃ18〜Ｃ30、Ｃ20〜Ｃ22、Ｃ20〜Ｃ24又はＣ20〜Ｃ28線状基の混合物であってもよい。これらの混合物は、アルキル基を少なくとも９５モル％、好ましくは９８モル％含むことが有利である。
【００５８】
本発明のアルカリ金属又はアルカリ土類金属アルキルヒドロキシ安息香酸（ただし、Ｒはアルキル基の混合物を表す）は、線状アルファオレフィン留分、例えばシェブロン・フィリップス・ケミカル社から商品名アルファ・オレフィンＣ26-28又はアルファ・オレフィンＣ20-24で、またはブリティッシュ・ペトロリウム社から商品名Ｃ20-28オレフィンで、またはシェル・チミィ社から商品名ショップC20-22で市販されているもの、またはこれらの会社の炭素原子数約２０〜２８のこれら留分又はオレフィンの混合物から製造することができる。
【００５９】
（Ｉ）式の−ＣＯＯＭ基は、ヒドロキシル基に対してオルソ、メタ又はパラ位に位置することができる。
【００６０】
本発明に用いられるアルカリ金属又はアルカリ土類金属アルキルヒドロキシ安息香酸は、−ＣＯＯＭ基がオルソ、メタ又はパラ位にあるアルカリ金属又はアルカリ土類金属アルキルヒドロキシ安息香酸の如何なる混合物であってもよい。
【００６１】
アルキルヒドロキシ安息香酸またはそのアルカリ金属又はアルカリ土類金属塩は、カリウムアルキルヒドロキシベンゾエートであることが好ましい。
【００６２】
本発明に用いられるアルカリ又はアルカリ土類金属アルキルヒドロキシベンゾエートは一般には、下記の試験により特徴付けられるように油に可溶性である。
【００６３】
６００ニュートラル希釈油と、混合物の全質量に対して１０質量％の含量のアルキルヒドロキシベンゾエートとの混合物を、６０℃の温度で３０分間遠心分離にかけ、遠心分離は標準ＡＳＴＭ Ｄ２２７３で規定された条件で行い（希釈無しで、すなわち溶媒を添加しないで遠心分離を行うことに留意すべきである）、そして遠心分離後直ちに、形成された堆積物の容量を求め、堆積物が０．０５％ｖ／ｖ（混合物の容量に対する堆積物の容量）以下であれば、生成物は油に可溶性であるとみなす。
【００６４】
本発明のアルカリ金属又はアルカリ土類金属アルキルヒドロキシ安息香酸のＴＢＮは、１００より低い、好ましくは約１０乃至９５であることが有利である。
【００６５】
［物理的及び化学的性状の測定］
Ｘ線測定法により、Ｋ％、Ｃａ％およびＳ％を測定した。
【００６６】
油中の様相：この方法は、６００ニュートラル希釈油中で濃度１０％での貯蔵安定性について添加剤試料の様相を評価するものである。周囲温度で３０日後の溶液の様相を調べた。溶液の様相が「透明」であったなら評価を（１）とし、「薄曇り」なら評価を（２）とし、「中曇り」なら評価を（３）とした。沈降物の評定：無し（０）、少ない（１）、平均（２）、多い（３）。１／０＝生成物透明／沈降物無し。
【００６７】
粘度は、１００℃の温度でＡＳＴＭ Ｄ４４５試験法に従って測定した。
【００６８】
沈降物は、ＡＳＴＭ Ｄ２２７３に従って測定した。
【００６９】
「全塩基価」又は「ＴＢＮ」は、試料１グラム中のＫＯＨのミリグラムと等価な塩基の量を意味する。従って、ＴＢＮ数が高いほど、生成物のアルカリ性が強く、よって保有するアルカリ度が大きいことを反映している。試料のＴＢＮは、ＡＳＴＭ Ｄ２８９６により決定した。
【００７０】
カルシウムスルホネートとして％ＣａＳ又は％Ｃａの測定：
ＡＳＴＭ（Ｄ３７１２）により石鹸（カルシウムスルホネート）のパーセントを求めた。カルシウムスルホネートの全パーセントおよびカルシウムとスルホン酸の分子量に基づいて、ＣａＳ質量％（スルホン酸に結合しているカルシウム）を求めた。
【００７１】
［カルボキシレート清浄分散添加剤］
本発明の潤滑油添加剤は、下記（II）式に示すようなカルボキシレート清浄分散添加剤（本明細書では、「カルボキシレート」又は「カルボキシ化清浄剤」とも呼ぶ）を含有していてもよい。
【００７２】
【化２】
2005179684.tif 000003
【００７３】
式中、Ｒaは、線状又は分枝鎖の脂肪族基である。好ましくは、Ｒaはアルケニル基またはアルキル基である。より好ましくは、Ｒaはアルキル基である。Ｍ1は、バリウム、カルシウム、マグネシウムおよびストロンチウムからなる群より選ばれるアルカリ土類金属である。カルシウムが好ましい。
【００７４】
カルボキシレート清浄分散添加剤は、次のような方法により製造することができる。
【００７５】
Ａ）中和工程
第一工程では、促進剤として炭素原子約１〜４個を含む、すなわちＣ1〜Ｃ4の少なくとも一種のカルボン酸の存在下で、アルキルフェノールをアルカリ土類金属塩を用いて中和する。この反応は、アルカリ金属塩基の不在下で、またジアルコールまたはモノアルコールの不在下で行う。
【００７６】
炭化水素フェノールは、９８質量％までの線状炭化水素基、１００質量％までの分枝鎖炭化水素基、または線状及び分枝鎖の炭化水素基両方を含んでいてもよい。線状炭化水素基は、存在するならばアルキルであることが好ましく、そして線状アルキル基は、炭素原子を約１２〜４０個含むことが好ましく、より好ましくは約１８〜３０個含む。分枝鎖炭化水素基は、存在するならばアルキルであることが好ましく、そして炭素原子を少なくとも９個含み、好ましくは約９〜２４個、より好ましくは約１０〜１８個含む。ある態様では、炭化水素フェノールは混合物中に、８５質量％までの線状炭化水素フェノール（好ましくは、少なくとも３５質量％の線状炭化水素フェノール）を、少なくとも１５質量％の分枝鎖炭化水素フェノールと共に含む。
【００７７】
少なくとも３５質量％の長鎖線状アルキルフェノール（炭素原子数約１８〜３０）を含むアルキルフェノールの使用は特に好ましい。なぜならば、長い線状アルキル鎖が潤滑油中での添加剤の混合性および溶解性を促すからである。しかしながら、アルキルフェノールにおける比較的重い線状アルキル基の存在は、分枝鎖アルキルフェノールよりも前者を反応し難くし、これによりアルカリ土類金属塩基で中和を行うのにもっと厳しい反応条件を使用する必要が生じる。
【００７８】
分枝鎖アルキルフェノールは、フェノールを分枝鎖オレフィン、一般にはプロピレンから生じたオレフィンと反応させることにより得ることができる。分枝鎖アルキルフェノールは一置換異性体の混合物から構成され、大多数の置換基はパラ位にあり、極少数がオルソ位にあり、そしてメタ位には殆ど無い。それによって、フェノール機能に実際に立体障害が無いことになるから、アルカリ土類金属塩基に対してアルキルフェノールが比較的反応し易くなる。
【００７９】
一方、フェノールを線状オレフィン、一般にはエチレンから生じたオレフィンと反応させることにより、線状アルキルフェノールを得ることができる。線状アルキルフェノールは、オルト、メタ及びパラ位にある線状アルキル置換基の比率がずっと均一に分布している一置換異性体の混合物から構成される。これによって、相当な立体障害のために、近接した一般に重いアルキル置換基の存在のためにフェノール機能があまり利用できないから、アルカリ土類金属塩基に対してアルキルフェノールが反応し難くなる。勿論、線状アルキルフェノールは、パラ置換基の量を増加させ、その結果アルカリ土類金属塩基に対して相対的に反応性を増大させるような分枝を持つアルキル置換基を含んでいてもよい。
【００８０】
この工程を実施するのに使用することができるアルカリ土類金属塩基としては、カルシウム、マグネシウム、バリウムまたはストロンチウムの酸化物又は水酸化物、特には酸化カルシウム、水酸化カルシウム、酸化マグネシウム、およびそれらの混合物を挙げることができる。ある態様では、消石灰（水酸化カルシウム）が好ましい。
【００８１】
この工程に使用される促進剤は、中和を増大させる如何なる物質であってもよい。例えば、促進剤は多価アルコール、エチレングリコール、または任意のカルボン酸であってもよい。好ましくは、カルボン酸が用いられる。より好ましくは、Ｃ1〜Ｃ4のカルボン酸がこの工程では用いられ、ギ酸、酢酸、プロピオン酸および酪酸が挙げられ、単独でも混合物でも使用することができる。好ましくは酸の混合物が使用され、最も好ましいのはギ酸／酢酸混合物である。ギ酸／酢酸のモル比は、約０．２：１乃至１００：１であるべきで、好ましくは約０．５：１乃至４：１、そして最も好ましくは約１：１である。カルボン酸は、アルカリ土類金属塩基が無機試薬から有機試薬に移動するのを助ける移動剤として作用する。
【００８２】
中和操作は、少なくとも２００℃の温度で、好ましくは少なくとも２１５℃、より好ましくは少なくとも２４０℃で行う。圧力は、反応の水を留去するために徐々に大気圧より低くする。従って、水との共沸物を形成するような如何なる溶媒も存在させないで中和を行うべきである。好ましくは、圧力を７０００Ｐａ（７０mbars）以下に下げる。
【００８３】
使用される試薬の量は、下記のモル比に対応するべきである：
（１）アルカリ土類金属塩基／アルキルフェノールは、約０．２：１乃至０．７：１、好ましくは約０．３：１乃至０．５：１、および
（２）カルボン酸／アルキルフェノールは、約０．０１：１乃至０．５：１、好ましくは約０．０３：１乃至０．１５：１。
【００８４】
この中和工程の最後に、得られたアルキルフェネートを少なくとも２１５℃の温度で、約５０００乃至１０5Ｐａ（０．０５から１．０バールの間）の絶対圧で１５時間を越えない時間維持することが好ましい。より好ましくは、この中和工程の最後に得られたアルキルフェネートを、約１００００乃至２００００Ｐａ（０．１から０．２バールの間）の絶対圧で２から６時間維持する。
【００８５】
充分に高い温度で操作を実施し、かつ反応器内の圧力を徐々に大気圧より低くするという条件であれば、この反応中に生成する水と共沸物を形成するような溶媒を添加する必要無しに中和反応を実施できる。
【００８６】
Ｂ）カルボキシ化工程
カルボキシ化工程は、単に前の中和工程で生じた反応媒体に二酸化炭素を吹き込むことにより行い、そして出発アルキルフェノールの少なくとも５質量％がアルキルサリチレートに変換されるまで続ける（電位差滴定測定によりサリチル酸として測定して）。生成するアルキルサリチレートの如何なる脱カルボキシも避けるために、加圧下で行わなければならない。
【００８７】
二酸化炭素を用いて１８０℃から２４０℃の間の温度で、大気圧より上で１５×１０5Ｐａ（１５バール）までの範囲内の圧力で１乃至８時間かけて、出発アルキルフェノールの少なくとも１０モル％をアルキルサリチレートに変換することが好ましく、より好ましくは２０モル％を変換する。
【００８８】
ある変法によれば、二酸化炭素を用いて２００℃かそれ以上の温度で、４×１０5Ｐａ（４バール）の圧力下では、出発アルキルフェノールの少なくとも２５モル％がアルキルサリチレートに変換される。
【００８９】
Ｃ）ろ過工程
カルボキシ化工程の生成物をろ過することが有利である。ろ過工程の目的は、沈降物、特に結晶性炭酸カルシウムを除去することにあり、それは前の工程で形成され、そして潤滑油循環路に取り付けられたフィルタの目詰りを引き起こしうる。
【００９０】
Ｄ）分離工程（任意）
カルボキシ化工程の生成物から、少なくとも１０質量％の未反応アルキルフェノールを分離する。分離は、蒸留を用いて遂行することが好ましい。より好ましくは、蒸留をこすりつけフィルム蒸発器内で、約１５０℃乃至２５０℃の温度および約０．１乃至４ミリバールの圧力で行う、より好ましくは約１９０℃乃至２３０℃の温度および約０．５乃至３ミリバールの圧力で、最も好ましくは約１９５℃乃至２２５℃の温度および約１乃至２ミリバールの圧力で行う。少なくとも１０質量％の未反応アルキルフェノールを分離する。より好ましくは、少なくとも３０質量％の未反応アルキルフェノールを分離する。最も好ましくは、５５質量％までの未反応アルキルフェノールを分離する。分離した未反応アルキルフェノールはその後、再生利用して本発明の方法もしくは別の方法で出発物質として使用してもよい。
【００９１】
この方法により生成したカルボキシ化清浄分散添加剤の特徴はその特有の組成にあり、他のルートで生成したものよりもアルカリ土類金属単芳香環炭化水素サリチレートがずっと多く、そしてアルキルフェノールが少ない。反応生成物（分離工程前のろ過工程の）は、一般に次のような組成を有する：
ａ）約４０％乃至６０％の未反応アルキルフェノール、
ｂ）約１０％乃至４０％のアルカリ土類金属アルキルフェネート、および
ｃ）約２０％乃至４０％のアルカリ土類金属単芳香環アルキルサリチレート。
【００９２】
以上の方法については、米国特許第６１６２７７０号に更に詳細に記載されていて、その内容も参照として本明細書の記載とする。
【００９３】
他の方法により生成したアルカリ土類金属アルキルサリチレートとは違って、このカルボキシレート清浄分散添加剤組成物の特徴は、アルカリ土類金属二芳香環アルキルサリチレートをほんの少量しか含まないことにある。単芳香環アルキルサリチレートと二芳香環アルキルサリチレートのモル比は、少なくとも８：１である。
【００９４】
カルボキシレート清浄分散添加剤のＴＢＮは、約７５乃至２５０であることが好ましく、より好ましくは約１００乃至１５０である。
【００９５】
本発明の潤滑油添加剤はまた、下記（III）式又は（IV）式のアルカリ又はアルカリ土類金属アルキルフェネートを含有していてもよい。
【００９６】
【化３】
2005179684.tif 000004
【００９７】
式中、Ｒa基は、線状又は分枝鎖の脂肪族基である。好ましくは、Ｒaはアルケニル基またはアルキル基である。より好ましくは、Ｒaはアルキル基である。Ｍは、リチウム、ナトリウムおよびカリウムからなる群より選ばれるアルカリ金属である。カリウムが好ましい。Ｍ1は、バリウム、カルシウム、マグネシウムおよびストロンチウムからなる群より選ばれるアルカリ土類金属である。カルシウムが好ましい。
【００９８】
有用性の観点によれば、本発明の潤滑油添加剤の油溶性反応体（Ｂ）が、（Ｂ）（ｉ）及び（Ｂ）（ii）に規定したような、少なくとも一種のアルキルヒドロキシ安息香酸またはそのアルカリ金属又はアルカリ土類金属塩、またはカルボキシレート清浄分散剤から構成されるとき、油溶性反応体の少なくとも１０質量％、好ましくは少なくとも２０質量％、より好ましくは少なくとも５０質量％は炭素原子数約２０〜３０の線状アルキル基を含む。
【００９９】
［硫化及び非硫化アルキルフェノール］
潤滑剤（Ｂ）が、硫化又は非硫化アルキルフェノールまたはそのアルカリ金属又はアルカリ土類金属塩、例えばアルキルフェノール、アルカリアルキルフェネートおよび／またはアルカリ土類アルキルフェネートを有利に含有するとき、前に示した化学分析による決定法に従って決定したフェノール／全界面活性剤の質量比は１５％より低くなる。
【０１００】
本発明に用いられる過塩基性生成物を製造するのに使用される金属塩基は、アルカリ金属、アルカリ土類金属、それらの二種以上の混合物、または塩基的に反応するそれらの化合物からなる群より選ばれる。好ましくは、金属はアルカリ金属、アルカリ土類金属、またはそれらの二種以上の混合物である。リチウム、ナトリウム、カリウム、マグネシウム、カルシウムおよびバリウムが有用であり、特に有用なのはリチウム、ナトリウムおよびカリウムである。カルシウムも好ましい。
【０１０１】
本発明に用いられる過塩基性生成物の製造に使用できる酸性補助試薬は、カルバミド酸、酢酸、ギ酸、ホウ酸、トリニトロメタン、ＳＯ2、ＣＯ2、該酸の原料、およびそれらの混合物である。ＣＯ2およびＳＯ2、およびそれらの原料が好ましい。使用できるＣＯ2原料としては、尿素、カルバメートおよびアンモニウムカルバメートが挙げられる。使用できるＳＯ2原料としては、亜硫酸、チオ硫酸および亜ジチオン酸が挙げられる。ＣＯ2が特に好ましい。
【０１０２】
［潤滑油組成物］
本発明は、本発明の潤滑油添加剤を含有する潤滑油組成物にも関する。そのような潤滑油組成物は、主要量の潤滑粘度の基油、および下記の方法により得られた少量の潤滑油添加剤を含有する：
（Ｉ）下記の成分を含む界面活性剤組成物を調製する：
（Ａ）下記成分からなる少なくとも一種のアルカリ土類金属のアルキル芳香族スルホネート：
（ｉ）線状モノアルキル基が炭素原子約１４〜４０個を含み、線状アルキル鎖の１又は２位に位置する芳香族スルホネート基のモル％が約９％乃至７０％である線状モノアルキル芳香族スルホネート約５０質量％乃至１００質量％、および
（ii）分枝鎖アルキル基が炭素原子約１４〜３０個を含む分枝鎖モノアルキル芳香族スルホネート約０質量％乃至５０質量％、および
（Ｂ）下記成分からなる群より選ばれる少なくとも一種の油溶性反応体：
（ｉ）アルキルヒドロキシ安息香酸またはそのアルカリ金属又はアルカリ土類金属塩、
（ii）下記工程により得られたカルボキシレート清浄分散剤：
（ａ）アルキルフェノールをアルカリ土類金属塩基を用いて中和して中間体を生成させる、そして
（ｂ）最初のアルキルフェノール出発物質の少なくとも５質量％がアルカリ土類金属単芳香環炭化水素サリチレートに変換されるように、中間体を二酸化炭素を用いてカルボキシ化する、および
（iii）硫化又は非硫化アルキルフェノールまたはそのアルカリ金属又はアルカリ土類金属塩、
ただし、（Ｂ）（ｉ）乃至（Ｂ）（iii）の各々のアルキル基は独立に、炭素原子数約９〜１６０の線状又は分枝鎖アルキル基、または線状及び分枝鎖アルキル基の混合物である、そして
（II）得られた界面活性剤組成物を、アルカリ土類金属塩基および少なくとも一種の酸性補助試薬と反応させる。
【０１０３】
［潤滑粘度の基油］
本発明に用いられる潤滑粘度の基油は、鉱油であっても合成油であってもよい。４０℃の粘度が少なくとも１０cSt（mm2/s）で、流動点が２０℃未満、好ましくは０℃かそれ以下である基油が望ましい。基油は合成または天然の原料から誘導することができる。本発明に基油として使用される鉱油としては例えば、パラフィン系、ナフテン系、および通常潤滑油組成物に使用されるその他の油を挙げることができる。合成油としては例えば、炭化水素合成油と合成エステルの両方、および所望の粘度を有するそれらの混合物を挙げることができる。炭化水素合成油としては例えば、エチレンまたは高級アルファオレフィン（ポリアルファオレフィン又はＰＡＯ）の重合から、あるいは一酸化炭素ガスと水素ガスを用いた炭化水素合成法、例えばフィッシャー・トロプシュ法で製造された油を挙げることができる。使用できる合成炭化水素油としては、適正な粘度を持つアルファオレフィンの液体重合体が挙げられる。特に有用なものは、Ｃ6〜Ｃ12アルファオレフィンの水素化液体オリゴマー、例えば１−デセン三量体である。同様に、適正な粘度のアルキルベンゼン、例えばジドデシルベンゼンも使用することができる。使用できる合成エステルとしては、モノカルボン酸およびポリカルボン酸と、モノヒドロキシアルカノールおよびポリオールとのエステルが挙げられる。代表的な例としては、ジドデシルアジペート、ペンタエリトリトールテトラカプロエート、ジ−２−エチルヘキシルアジペート、およびジラウリルセバケート等がある。モノ及びジカルボン酸とモノ及びジヒドロキシアルカノールとの混合物から製造された複合エステルも使用することができる。鉱油と合成油のブレンドも有用である。例えば、１０質量％乃至２５質量％の水素化１−デセン三量体と７５質量％乃至９０質量％の１５０ＳＵＳ（１００°Ｆ）鉱油とのブレンドは、優れた潤滑油基材になる。
【０１０４】
本発明に係る潤滑油組成物のＴＢＮは、２５０かそれ以上であることが好ましく、約３００乃至５００並びに５００より大きいＴＢＮも含まれる。
【０１０５】
有利な本発明に係る潤滑油組成物は、組成物の全質量比として、下記の成分からなる、
−約１０％乃至５０％の潤滑粘度の基油、
−約１２％乃至４０％のアルカリ土類金属アルキル芳香族スルホネートの混合物、
−約０％乃至３５％のアルキルヒドロキシ安息香酸またはそのアルカリ金属又はアルカリ土類金属塩、および
−約０％乃至３５％のカルボキシレート清浄分散添加剤、
−約０％乃至２０％の硫化又は非硫化アルキルフェノールまたはそのアルカリ金属又はアルカリ土類金属塩、
ただし、異なる成分の合計は１００％に等しく、成分は前に規定した通りである。
【０１０６】
別の有利な本発明に係る潤滑油組成物は、組成物の全質量比として、下記の成分からなる、
−約１０％乃至５０％の潤滑粘度の基油、
−約１２％乃至４０％のアルカリ土類金属アルキル芳香族スルホネートの混合物、
−約０％乃至４０％のアルキルヒドロキシ安息香酸またはそのアルカリ金属又はアルカリ土類金属塩、
−約０％乃至４０％のカルボキシレート清浄分散添加剤、および
−約０％乃至２５％の硫化又は非硫化アルキルフェノールまたはそのアルカリ金属又はアルカリ土類金属塩、
ただし、異なる成分の合計は１００％に等しく、成分は前に規定した通りである。
【０１０７】
［その他の添加剤パッケージ］
Ｉ）船用ディーゼルエンジン油
１）未硫化のカルボキシレート含有添加剤                  ６５％
第一級アルキルジチオリン酸亜鉛                        ５％
潤滑粘度の油                                        ３０％
２）未硫化のカルボキシレート含有添加剤                  ６５％
アルケニルコハク酸イミド無灰分散剤                    ５％
潤滑粘度の油                                        ３０％
３）未硫化のカルボキシレート含有添加剤                  ６０％
第一級アルキルジチオリン酸亜鉛                        ５％
アルケニルコハク酸イミド無灰分散剤                    ５％
潤滑粘度の油                                        ３０％
４）未硫化のカルボキシレート含有添加剤                  ６５％
フェノール型酸化防止剤                              １０％
潤滑粘度の油                                        ２５％
５）未硫化のカルボキシレート含有添加剤                  ５５％
アルキル化ジフェニルアミン型酸化防止剤              １５％
潤滑粘度の油                                        ３０％
６）未硫化のカルボキシレート含有添加剤                  ６５％
フェノール型酸化防止剤                                ５％
アルキル化ジフェニルアミン型酸化防止剤                ５％
潤滑粘度の油                                        ２５％
７）未硫化のカルボキシレート含有添加剤                  ６０％
第一級アルキルジチオリン酸亜鉛                        ５％
フェノール型酸化防止剤                                ５％
潤滑粘度の油                                        ３０％
８）未硫化のカルボキシレート含有添加剤                  ６０％
アルケニルコハク酸イミド無灰分散剤                    ５％
アルキル化ジフェニルアミン型酸化防止剤              １０％
潤滑粘度の油                                        ２５％
９）未硫化のカルボキシレート含有添加剤                  ５５％
他の添加剤                                          ２５％
第一級アルキルジチオリン酸亜鉛
アルケニルコハク酸エステル無灰分散剤
フェノール型酸化防止剤
アルキル化ジフェニルアミン型酸化防止剤
潤滑粘度の油                                        ３０％
【０１０８】
II）自動車用エンジン油
１）未硫化のカルボキシレート含有添加剤                  ２５％
アルケニルコハク酸イミド無灰分散剤                  ３５％
第一級アルキルジチオリン酸亜鉛                      １０％
潤滑粘度の油                                        ３０％
２）未硫化のカルボキシレート含有添加剤                  ２０％
アルケニルコハク酸イミド無灰分散剤                  ４０％
第二級アルキルジチオリン酸亜鉛                        ５％
ジチオカルバメート型酸化防止剤                        ５％
潤滑粘度の油                                        ３０％
３）未硫化のカルボキシレート含有添加剤                  ２０％
アルケニルコハク酸イミド無灰分散剤                  ３５％
第二級アルキルジチオリン酸亜鉛                        ５％
フェノール型酸化防止剤                                ５％
潤滑粘度の油                                        ３５％
４）未硫化のカルボキシレート含有添加剤                  ２０％
アルケニルコハク酸イミド無灰分散剤                  ３０％
第二級アルキルジチオリン酸亜鉛                        ５％
ジチオカルバメート型耐摩耗剤                          ５％
潤滑粘度の油                                        ４０％
５）未硫化のカルボキシレート含有添加剤                  ２０％
コハク酸イミド無灰分散剤                            ３０％
第二級アルキルジチオリン酸亜鉛                        ５％
モリブデン含有耐摩耗剤                                ５％
潤滑粘度の油                                        ４０％
６）未硫化のカルボキシレート含有添加剤                  ２０％
アルケニルコハク酸イミド無灰分散剤                  ３０％
他の添加剤                                          １０％
第一級アルキルジチオリン酸亜鉛
第二級アルキルジチオリン酸亜鉛
アルキル化ジフェニルアミン型酸化防止剤
ジチオカルバメート型耐摩耗剤
潤滑粘度の油                                        ４０％
７）未硫化のカルボキシレート含有添加剤                  ６０％
他の添加剤                                          １０％
フェノール型酸化防止剤
アルキル化ジフェニルアミン型酸化防止剤
ジチオカルバメート型耐摩耗剤
抗乳化剤
ホウ素含有摩擦緩和剤
潤滑粘度の油                                        ３０％
【０１０９】
III）油圧作動油
１）未硫化のカルボキシレート含有添加剤                  ２０％
第一級アルキルジチオリン酸亜鉛                      ５０％
他の添加剤                                          ２５％
フェノール型酸化防止剤
リン含有極圧剤
トリアゾール型腐食防止剤
抗乳化剤
非イオン性さび止め剤
潤滑粘度の油                                          ５％
２）未硫化のカルボキシレート含有添加剤                  １０％
第一級アルキルジチオリン酸亜鉛                      ４０％
他の添加剤                                          ４７％
フェノール型酸化防止剤
硫黄含有極圧剤
トリアゾール型腐食防止剤
抗乳化剤
非イオン性さび止め剤
潤滑粘度の油                                          ３％
３）未硫化のカルボキシレート含有添加剤                  １０％
リン含有極圧剤                                      ４０％
フェノール型酸化防止剤                              １５％
他の添加剤                                          ２５％
ジフェニルアミン型酸化防止剤
硫黄含有極圧剤
トリアゾール型腐食防止剤
抗乳化剤
非イオン性さび止め剤
潤滑粘度の油                                        １０％
４）未硫化のカルボキシレート含有添加剤                  ２０％
リン含有極圧剤                                      ３０％
他の添加剤                                          ４５％
ジフェニルアミン型酸化防止剤
硫黄含有極圧剤
トリアゾール型腐食防止剤
抗乳化剤
非イオン性さび止め剤
潤滑粘度の油                                          ５％
【０１１０】
IV）変速機作動液
１）未硫化のカルボキシレート含有添加剤                  ３５％
第一級アルキルジチオリン酸亜鉛                      ２０％
ポリオール型摩擦緩和剤                              ２０％
硫黄含有極圧剤                                        ５％
潤滑粘度の油                                        ２０％
２）未硫化のカルボキシレート含有添加剤                  ４０％
第一級アルキルジチオリン酸亜鉛                      １５％
アミド型摩擦緩和剤                                  １５％
硫黄含有極圧剤                                        ５％
潤滑粘度の油                                        ２５％
３）未硫化のカルボキシレート含有添加剤                  ３０％
第一級アルキルジチオリン酸亜鉛                      ２０％
他の添加剤                                          ３０％
アルケニルコハク酸イミド無灰分散剤
アミド型摩擦緩和剤
エステル型摩擦緩和剤
リン・硫黄含有極圧剤
潤滑粘度の油                                        ２０％
４）未硫化のカルボキシレート含有添加剤                  ３５％
第一級アルキルジチオリン酸亜鉛                      １５％
他の添加剤                                          ２５％
ポリオール型摩擦緩和剤
アミド型摩擦緩和剤
リン・硫黄含有極圧剤
潤滑粘度の油                                        ２５％
【０１１１】
炭素原子数約２０〜１６０のアルキル基を持つ潤滑剤と炭素原子数約９〜２０のアルキル基を持つ潤滑剤の質量比は、少なくとも２０：８０であることが好ましく、特には少なくとも３０：７０である。
【０１１２】
本発明の潤滑油組成物は更に、アルカリ又はアルカリ土類金属炭酸塩、好ましくは炭酸カルシウムを含有することができる。
【０１１３】
アルカリ土類金属炭酸塩の含量は、潤滑油組成物の全質量に対して約５質量％乃至２５質量％であってよく、好ましくは約１０質量％乃至２０質量％である。
【０１１４】
本発明の別の有用性の観点によれば、アルカリ土類金属アルキルアリールスルホネート型の潤滑剤、少なくとも一種の（Ａ）乃至（Ｂ）の潤滑剤、およびアルカリ炭酸塩または任意にアルカリ土類金属炭酸塩は、ミセルの形で存在する。
【０１１５】
［潤滑油組成物の製造方法］
また別の観点では、本発明は、上述した潤滑油組成物の製造方法に関する。この方法は、潤滑粘度の基油と本発明の潤滑油添加剤を混合することからなる。
【０１１６】
一例として、潤滑油組成物は次のような方法により得ることができる。
（Ａ）アルカリ土類金属のアルキル芳香族スルホン酸の混合物を中和する、
（Ｂ）（Ａ）の混合物に、下記成分からなる群より選ばれる少なくとも一種の化合物を添加する：
（ｉ）アルキルヒドロキシ安息香酸またはそのアルカリ金属又はアルカリ土類金属塩、
（ii）下記工程により得られたカルボキシ化清浄分散添加剤：
（ａ）アルキルフェノールをアルカリ土類金属塩基を用いて中和して中間体を生成させる、そして
（ｂ）最初のアルキルフェノール出発物質の少なくとも２０質量％がアルカリ土類金属単芳香環炭化水素サリチレートに変換されるように、中間体を二酸化炭素を用いてカルボキシ化する、および
（iii）硫化又は非硫化アルキルフェノールまたはそのアルカリ金属又はアルカリ土類金属塩、
ただし、（Ｂ）（ｉ）乃至（Ｂ）（iii）の各々のアルキル基が独立に、炭素原子数約２０〜１６０又は炭素原子数約９〜２０又は両方混合の線状アルキル基、分枝鎖アルキル基または線状及び分枝鎖アルキル基の混合物である、
（Ｃ）（Ｂ）の混合物を二酸化炭素を用いて炭酸塩化する、
（Ｄ）潤滑粘度の基油を添加する、そして
（Ｅ）得られた潤滑油組成物を回収する。
【０１１７】
（Ａ）段階では、一価又は多価のアルコールを使用することができる。メタノールおよびグリコールが好ましい。アルコールの含量は、（Ａ）段階で形成した混合物の質量に対して、質量で約２％乃至１５％であってよく、好ましくは約４％乃至１０％である。キシレンなどの溶媒をこの混合物に加えることもできる。
【０１１８】
（Ａ）段階は、通常は２０℃から１００℃の間の温度で行う。
【０１１９】
（Ｃ）段階の炭酸塩化は、二酸化炭素を用いて、大気圧でまたは一般には約１bar（１０5Ｐａ）乃至６．５bars（１０5Ｐａ）、好ましくは約１bar（１０5Ｐａ）乃至３．５bars（１０5Ｐａ）の圧力下で添加して行う。
【０１２０】
（Ｃ）段階は、通常は約２０℃乃至６０℃の温度で行い、好ましくは約２５℃乃至４８℃で行う。
【０１２１】
（Ｄ）段階と（Ｅ）段階の間で、溶媒の除去並びに沈降物の除去を、例えばろ過または遠心分離により行うことが好ましい。
【０１２２】
本発明の潤滑油添加剤は、堆積物を低減して潤滑油組成物に分散力の改善をもたらすとともに、潤滑油組成物の高温安定性を高めることを可能にする。
【０１２３】
潤滑油組成物の成分は、如何なる順序でブレンドしてもよいし、また成分の組合せとしてブレンドしてもよい。上記の成分をブレンドすることにより生成した潤滑油組成物は、成分が相互作用しうるために初期の混合物とは若干異なる組成であるかもしれない。
【０１２４】
本発明に係る潤滑油組成物は特に、ディーゼル又はガソリン機関などの機関を、これら機関が二ストロークであろうと四ストロークであろうと、潤滑にするのに使用することができる。潤滑油組成物は、陸上車両用機関（トラクタ、トラック、自動車）に特に適していて、また船用機関、例えば二ストローク・クロスヘッド船用（船用シリンダ潤滑剤）機関、またはいわゆる筒形ピストンエンジン油（ＴＰＥＯ）機関、すなわち重油で作動する準速四ストローク機関にも好ましい。さらに、本発明の潤滑油組成物は、油圧装置に本発明の潤滑油組成物を接触させることにより油圧装置を潤滑にするのにも使用することができる。
【０１２５】
［その他の添加剤成分］
以下の添加剤成分は、本発明の潤滑油添加剤と組み合わせて好ましく用いることができる成分の例である。これら添加剤の例は、本発明を説明するために記されるのであって、本発明を限定するものではない。
【０１２６】
（Ａ）無灰分散剤：アルケニルコハク酸イミド、他の有機化合物で変性したアルケニルコハク酸イミド、およびホウ酸で変性したアルケニルコハク酸イミド、アルケニルコハク酸エステル。
【０１２７】
（Ｂ）酸化防止剤：
１）フェノール型（フェノール系）酸化防止剤：４，４’−メチレンビス（２，６−ジ−t−ブチルフェノール）、４，４’−ビス（２，６−ジ−t−ブチルフェノール）、４，４’−ビス（２−メチル−６−t−ブチルフェノール）、２，２’−メチレンビス（４−メチル−６−t−ブチルフェノール）、４，４’−ブチリデンビス（３−メチル−６−t−ブチルフェノール）、４，４’−イソプロピリデンビス（２，６−ジ−t−ブチルフェノール）、２，２’−メチレンビス（４−メチル−６−ノニルフェノール）、２，２’−イソブチリデンビス（４，６−ジメチルフェノール）、２，２’−メチレンビス（４−メチル−６−シクロヘキシルフェノール）、２，６−ジ−t−ブチル−４−メチルフェノール、２，６−ジ−t−ブチル−４−エチルフェノール、２，４−ジメチル−６−t−ブチルフェノール、２，６−ジ−t−α−ジメチルアミノ−ｐ−クレゾール、２，６−ジ−t−４−（Ｎ，Ｎ’−ジメチルアミノメチルフェノール）、４，４’−チオビス（２−メチル−６−t−ブチルフェノール）、２，２’−チオビス（４−メチル−６−t−ブチルフェノール）、ビス（３−メチル−４−ヒドロキシ−５−t−ブチルベンジル）スルフィド、およびビス（３，５−ジ−t−ブチル−４−ヒドロキシベンジル）。
２）ジフェニルアミン型酸化防止剤：アルキル化ジフェニルアミン、フェニル−α−ナフチルアミン、およびアルキル化α−ナフチルアミン。
３）その他の型：金属ジチオカルバメート（例、亜鉛ジチオカルバメート）、およびメチレンビス（ジブチルジチオカルバメート）。
【０１２８】
（Ｃ）さび止め添加剤（さび止め剤）
１）非イオン性ポリオキシエチレン界面活性剤：ポリオキシエチレンラウリルエーテル、ポリオキシエチレン高級アルコールエーテル、ポリオキシエチレンノニルフェニルエーテル、ポリオキシエチレンオクチルフェニルエーテル、ポリオキシエチレンオクチルステアリルエーテル、ポリオキシエチレンオレイルエーテル、ポリオキシエチレンソルビトールモノステアレート、ポリオキシエチレンソルビトールモノオレエート、およびポリエチレングリコールモノオレエート。
２）その他の化合物：ステアリン酸および他の脂肪酸、ジカルボン酸、金属石鹸、脂肪酸アミン塩、重質スルホン酸の金属塩、多価アルコールの部分カルボン酸エステル、およびリン酸エステル。
【０１２９】
（Ｄ）抗乳化剤：アルキルフェノールと酸化エチレンの付加物、ポリオキシエチレンアルキルエーテル、およびポリオキシエチレンソルビタンエステル。
【０１３０】
（Ｅ）極圧剤（ＥＰ剤）：ジアルキルジチオリン酸亜鉛（Ｚｎ−ＤＴＰ、第一級アルキル型および第二級アルキル型）、硫化油、硫化ジフェニル、メチルトリクロロステアレート、塩素化ナフタレン、ヨウ化ベンジル、フルオロアルキルポリシロキサン、およびナフテン酸鉛。
【０１３１】
（Ｆ）摩擦緩和剤：脂肪アルコール、脂肪酸、アミン、ホウ酸化エステル、および他のエステル。
【０１３２】
（Ｇ）多機能添加剤：硫化オキシモリブデンジチオカルバメート、硫化オキシモリブデン有機リンジチオエート、オキシモリブデンモノグリセリド、オキシモリブデンジエチレートアミド、アミン−モリブデン錯化合物、および硫黄含有モリブデン錯化合物。
【０１３３】
（Ｈ）粘度指数向上剤：ポリメタクリレート型重合体、エチレン−プロピレン共重合体、スチレン−イソプレン共重合体、水和スチレン−イソプレン共重合体、ポリイソブチレン、および分散剤型粘度指数向上剤。
【０１３４】
（Ｉ）流動点降下剤：ポリメチルメタクリレート。
【０１３５】
（Ｋ）消泡剤：アルキルメタクリレート重合体、およびジメチルシリコーン重合体。
【実施例】
【０１３６】
本発明について以下の実施例により更に説明するが、実施例は特に有利な方法の態様を示すものである。実施例は、本発明を説明するために記されるのであって、その範囲を限定するものではない。本出願は、添付した特許請求の真意および範囲から逸脱することなく、当該分野の熟練者によってなされうるような各種の変更や置換を包含するものである。
【０１３７】
特に断わらない限り、比率は全て質量パーセントである。
【０１３８】
［実施例１］
カルシウムアルキルカルボキシレートと過塩基性カルシウムアルキルアリールスルホネートを含む潤滑油添加剤組成物の製造
１）予備混合
四つ口反応器に、キシレン（１）１１８０．８ｇおよびメタノール（１）１２９．８ｇ、次いで水酸化カルシウム１５７ｇを入れ、撹拌して、減圧下に置くことができるようにした。
【０１３９】
こうして得られた予備混合物を３５０ｒｐｍの撹拌下に置いた。
【０１４０】
２）中和
アルキル鎖の炭素原子数が約２０〜２８で、アルキル鎖の１又は２位に位置するアリールスルホン酸基のモルパーセントがおよそ１０％で、シェブロン・オロナイトS.A.社より市販されているアルキルアリールスルホン酸（以後、表１では「アルキルアリールスルホン酸１０」と呼ぶ）２４９．４ｇを、上記第一段階で得られた予備混合物に加えた。酸の添加の間温度を３０℃付近に制限しながら、５０℃に予備加熱した酸をアンプルを用いて１５分かけて添加した。温度が２５℃付近になるまで１５分間、反応混合物を均質になるままにしておいた。
【０１４１】
３）カルボキシレート清浄分散添加剤の添加
下記の質量組成：
−カルシウムアルキルカルボキシレート      ２９％
−カルシウムアルキルフェネート            １６％
−アルキルフェノール                      ５５％
を有するカルボキシレート清浄分散添加剤（このカルボキシレートのバッチ法は、米国特許第６１６２７７０号の実施例１に記載されている）６２．３ｇを、２０分かけて反応器に加えた。
【０１４２】
カルボキシレート清浄分散添加剤は、炭素原子数１２でモル質量＝２７２の分枝アルキル鎖を持つアルキルフェノール５０％と、炭素原子数約２０〜２８でモル質量＝４３０の線状アルキル鎖を持つノルマルアルファオレフィンから製造したアルキルフェノール５０％との混合物から製造した。
【０１４３】
混合物を２５℃で１０分かけて均質にした。
【０１４４】
４）炭酸塩化
二酸化炭素（ＣＯ2）（１）３５ｇを、約２５℃乃至３４℃の温度で４０分かけて反応器に加え、次いでキシレン（２）３８９．２ｇ、メタノール１２９．８ｇおよび水酸化カルシウム１５７ｇからなる石灰乳を加えた。
【０１４５】
次に、ＣＯ2（２）１０３．９ｇを、約３２℃乃至４３℃の温度で７２分かけて反応器に加え、次いでキシレン（３）２７９．６ｇおよび水酸化カルシウム８０．４ｇからなる第二の石灰乳を加えた。
【０１４６】
次に、ＣＯ2（３）２４．３ｇを、約４０℃乃至４２℃の温度で２０分かけて反応器に加えた後、ＣＯ2（４）１９．４ｇを４０℃の温度で３７分かけて加えた。
【０１４７】
５）予備蒸留、遠心分離および最終蒸留
温度が上昇する間水２２．３ｇを加えることによって、反応器に入っている混合物をゆっくりと２時間５分かけて４０℃から１２８℃の間にある温度にした。次に、６００Ｎ希釈油３１１．９ｇ、そしてキシレン４７０ｇを加えた。混合物をアルファ・レイバル・ジロテスター（商品名）にて遠心分離に掛け、そしてキシレンを除去するためにおよそ２０４℃に加熱しながら、同時に１０分間４×１０3Ｐａの部分真空にした。
【０１４８】
実施例２〜６には、アルキル基の炭素原子数が約２０〜２８である過塩基性カルシウムアルキルアリールスルホネートを含む、本発明の潤滑油添加剤組成物の製造について記載する。
【０１４９】
［実施例２］
組成物は、実施例１の組成物と同じであるが、炭素原子数約２０〜２８のアルキル基を持ち、アルキル鎖の１又は２位に位置するアリールスルホン酸基のモルパーセントが１３から３０％の間にあるアルキルアリールスルホン酸（以後、表１では「アルキルアリールスルホン酸１３−３０」と呼ぶ）を用いた。
【０１５０】
［実施例３］
組成物は、実施例１の組成物と同じであるが、実施例１で規定したカルボキシレート清浄分散添加剤の代わりに、線状アルファオレフィン（シェブロン・フィリップス・ケミカル社のＣ20〜Ｃ28アルファオレフィン）と炭素原子数１２の分枝鎖オレフィン（プロピレン四量体）との混合物から製造したアルキルフェノールを用いた。
【０１５１】
［実施例４］
組成物は、実施例１の組成物と同じであるが、実施例１で規定したカルボキシレート清浄分散添加剤の代わりに、線状アルファオレフィン（シェブロン・フィリップス・ケミカル社のＣ20〜Ｃ28アルファオレフィン）と炭素原子数１２の分枝鎖オレフィン（プロピレン四量体）との混合物から製造したカルシウムアルキルフェネートを用いた。
【０１５２】
［実施例５］
組成物は、実施例２の組成物と同じであるが、実施例１で規定したカルボキシレート清浄分散添加剤の代わりに、線状アルファオレフィン（シェブロン・フィリップス・ケミカル社のＣ20〜Ｃ28アルファオレフィン）と炭素原子数１２の分枝鎖オレフィン（プロピレン四量体と呼ぶ）との混合物から製造したアルキルフェノールを用いた。
【０１５３】
［実施例６］
組成物は、実施例２の組成物と同じであるが、実施例１で規定したカルボキシレート清浄分散添加剤の代わりに、線状アルファオレフィン（シェブロン・フィリップス・ケミカル社のＣ20〜Ｃ28アルファオレフィン）と炭素原子数１２の分枝鎖オレフィン（プロピレン四量体と呼ぶ）との混合物から製造したカルシウムアルキルフェネートを用いた。
【０１５４】
表１に、これらの試験を実施するのに使用した試薬の添加量、並びに最終的に得られた生成物の主成分の含量を、性能試験で比較例Ａ及びＢ（下記）に使用した添加量と共に示し、また後記の表２には、得られた生成物の分析結果を示す。
【０１５５】
［比較例Ａ］
カルボキシレート清浄分散剤を添加しなかったこと以外は、実施例１と同様にして比較例Ａを製造した。界面活性剤は、スルホン酸のみから生じている（「アルキルアリールスルホン酸１０」）。
【０１５６】
［比較例Ｂ］
カルボキシレート清浄分散剤を添加しなかったこと以外は、実施例２と同様にして比較例Ｂを製造した。界面活性剤は、スルホン酸のみから生じている（「アルキルアリールスルホン酸１３−３０」）。
【０１５７】
【表１】
2005179684.tif 000005
【０１５８】
【表２】
2005179684.tif 000006
【０１５９】
計算の例：
１）フェノール／全界面活性剤（％）
２） （「フェノール」＋「ヒドロキシ安息香酸」）／全界面活性剤（％）
３）％全界面活性剤
４）ＴＢＮ／％界面活性剤
【０１６０】
（カルボキシレート清浄分散添加剤の組成）：
・未反応アルキルフェノール＝５５％
・Ｃａアルキルフェネート＝１６％
・Ｃａアルキルカルボキシレート＝２９％
・アルキルフェノール分子量＝３３０
同一アルキルフェノールでは：アルキルフェノール／Ｃａアルキルフェネート＝０．９４５
・ヒドロキシ安息香酸分子量＝３７５
同一ヒドロキシ安息香酸では：ヒドロキシ安息香酸／Ｃａヒドロキシベンゾエート＝０．９１
・カルボキシレート清浄分散添加剤１００ｇでは、上述した「界面活性剤」として：
−フェノール＝１５ｇ
−ヒドロキシ安息香酸＝２６．４ｇ
【０１６１】
（アルキルスルホン酸の組成）：
−未スルホン化アルキレート  ５％
−希釈油  １０％
−界面活性剤  ８５％
【０１６２】
（カリウムアルキルヒドロキシベンゾエートの組成）：
−未反応アルキルフェノール：７％
−カリウムアルキルフェネート：８．２０％
−希釈油：３０％
−カリウムヒドロキシベンゾエート：５４．８０％
【０１６３】
塩化及び非塩化成分間の質量比：
−アルキルフェノール／Ｋアルキルフェネート＝０．９２
−ヒドロキシ安息香酸／Ｋヒドロキシベンゾエート＝０．９１
【０１６４】
Ｋアルキルヒドロキシベンゾエート１００ｇでは、上述した界面活性剤として：フェノール＝７．５ｇ、およびヒドロキシ安息香酸＝５０ｇ
【０１６５】
（Ｃａアルキルフェネートの組成）：
−未反応アルキルフェノール＝２２％
−Ｃａアルキルフェネート＝７８％
【０１６６】
Ｃａアルキルフェネート１００ｇでは、上述した界面活性剤として：フェノール＝７３．７ｇ（７８×０．９４５）
【０１６７】
（実施例１の場合）：
全界面活性剤の計算
６２．３×０．１５＝９．３４（フェノール）
６２．３×０．２６４＝１６．４５（ヒドロキシ安息香酸）
２４９．４×０．８５＝２１２スルホン酸
全界面活性剤＝９．３４＋１６．４５＋２１２＝２３７．７
（フェノール／全界面活性剤） ×１００＝３．９％
［（「フェノール」＋「ヒドロキシ安息香酸」）／全界面活性剤］×１００＝１０．８％
全界面活性剤（％）＝（２３７．７／１１０４．７）×１００＝２１．９％
ＴＢＮ／％全界面活性剤＝４８９／２１．７＝２２．７％
【０１６８】
【表３】
2005179684.tif 000007
【０１６９】
[性能試験および結果]
潤滑油組成物の性能について、次のような試験を使用して試験を行った：
【０１７０】
１）ホット・チューブ試験
（Ｉ）試験の主目的
「ホット・チューブ試験」は、高温に熱したガラス管内に形成された堆積物の着色を等級付けすることによって、潤滑油組成物の清浄性および熱安定性を評価するように設計されている。
【０１７１】
（II）試験の実施
空気が流れている下を油が循環するようなガラス管を、高温に熱したオーブン内に配置した。潤滑油添加剤の変化のために管の内壁にラッカーが出現する。
【０１７２】
ラッカーを、参照用色チャートと比較して０（黒）から１０（透明）の範囲で等級付けした。清浄力が特に不充分であると、ガラス管が閉塞して黒くなる（目詰りする）。
【０１７３】
（III）試験の実施パラメータ
試験時間              １６時間
潤滑油の試料            ５ｃｍ3
油の流れ            ０．３ｃｍ3／時
空気の流れ            １０ｃｍ3／時
温度                ３１０℃
【０１７４】
（IV）試験した配合物
実施例１〜６の生成物を含有する潤滑油組成物の６つの試料（１〜６）を用意した：
次の成分を含む１００ｇの混合物を２５０ｍＬビーカーに調製した：試験対象の試料をこの生成物が与えるＴＢＮが７０に等しくなるような量で（あるいは、ＴＢＮが５００に等しい生成物なら１４ｇ）。混合物を６００Ｎ基油（トータル・フランス社製）で１００ｇにした。
【０１７５】
使用した比較例ＡとＢも同様にして配合した。
【０１７６】
２）フェネート混合性試験
（Ｉ）試験の主目的
潤滑油組成物の貯蔵の安定性を評価するため。
【０１７７】
（II）試験の実施
次の生成物を含む混合物１００ｇを２５０ｍＬビーカーに調製した：
・ＴＢＮ２５０のフェネートを混合物１００ｇ中のフェネートが与えるＴＢＮが５０に等しくなるような量で（あるいは、ＴＢＮが２５０のフェネート２０ｇ）。
・試験対象の生成物を混合物１００ｇ中の生成物が与えるＴＢＮが２０に等しくなるような量で（あるいは、ＴＢＮが５００の生成物４ｇ）。
・１５０ブライトストック（出光興産(株)製）希釈油３５ｇ。
・混合物を５００Ｎ油（出光興産(株)製）を加えて１００ｇにした後、６５℃で３０分かけて混合した。混合物を遠心分離アンプルに移し、これを８０℃のオーブン内に３日間置き、その後４５００ｒｐｍで１時間遠心分離に掛けた。
【０１７８】
次に、沈降物のパーセントを読み取った（遠心分離アンプルはパーセントの目盛付きであった）。このパーセントが０．０５％より低ければ、結果は良好であった。
【０１７９】
（III）試験した配合物
実施例１〜６並びに比較例ＡとＢの組成物について試験を行った。
【０１８０】
３）性能試験結果
表３及び表４に、性能試験の結果を示す。
【０１８１】
これらの結果は、アルカリ土類金属アルキル芳香族スルホネートの混合物と別の潤滑剤との組合せを含む本発明に係る組成物（実施例１〜６）が、この組合せを含まない配合物（比較例Ａ、Ｂ）よりも、高い清浄性クレジット並びに熱安定性を呈することを明らかにしている。
【０１８２】
【表４】
2005179684.tif 000008
【０１８３】
【表５】
2005179684.tif 000009
【０１８４】
［実施例７］
カルシウムアルキルカルボキシレートと過塩基性カルシウムアルキルアリールスルホネートを含む潤滑油添加剤組成物の製造
本発明の実施例１〜６および比較例ＡとＢでは、少ない石鹸および非常に高いＴＢＮ（４００−５００）が得られた（よって、ＴＢＮ／％全界面活性剤比は一般的に高く２０−２６付近であった）ことに留意されたい。実施例７と８および比較例Ｃでは、低いＴＢＮ（３００付近）を目標にした。よって、ＴＢＮ／％全界面活性剤比は一般に中位で１０付近であった。
【０１８５】
１）予備混合
四つ口反応器に、キシレン１０４２．４ｇおよびメタノール２１７．７ｇ、次いで水酸化カルシウム２２６．８ｇを入れ、撹拌して、減圧下に置くことができるようにした。こうして得られた予備混合物を３５０ｒｐｍの撹拌下に置いた。
【０１８６】
２）中和
炭素原子数約２０〜２８のアルキル鎖を持ち、アルキル鎖の１又は２位に位置するアリールスルホン酸基のモルパーセントが１３％から３０％の間にあり、シェブロン・オロナイトＳ.Ａ.社より市販されているアルキルアリールスルホン酸（以後、表５では「アルキルアリールスルホン酸１３−３０」と呼ぶ）３０３．８ｇを、上記第一段階で得られた予備混合物に加えた。
【０１８７】
酸の添加の間温度を３０℃付近に制限しながら、５０℃に予備加熱した酸をアンプルを用いて２０分かけて添加した。温度が２５℃付近になるまで１５分間、混合物を均質になるままにした。
【０１８８】
３）カルシウムアルキルカルボキシレートの添加
上記実施例１に記載したカルボキシレート清浄分散添加剤２７９．８ｇを、２０分かけて反応器に加えた後、
２５℃で１０分かけて均質にした。
【０１８９】
４）炭酸塩化
ＣＯ2（１）３１．７ｇを、２５℃乃至２７℃の温度で３０分かけて反応器に加え、次いでＣＯ2（２）６５．３ｇを２７℃乃至３３℃の温度で７８分かけて加えた。次に、キシレン２６０．７ｇ、メタノール６１．２ｇおよび水酸化カルシウム６３．７ｇからなる石灰乳を加えた。
次に、ＣＯ2（３）２８．２ｇを、３２℃乃至３７℃の温度で５４分かけて反応器に加えた。
【０１９０】
５）予備蒸留、遠心分離および最終蒸留
反応器に入っている混合物をゆっくりと２時間１０分かけて３７℃から１２８℃の間にある温度にした。次に、６００Ｎ希釈油３４９．２ｇ、そしてキシレン２５９ｇを加えた。混合物をアルファ・レイバル・ジロテスターにて遠心分離に掛けた後、キシレンを除去するためにおよそ２０４℃に加熱しながら、同時に１０分間４．１０3Ｐａの部分真空にした。
【０１９１】
［実施例８］
過塩基性カルシウムアルキルアリールスルホネートを含む本発明に係る潤滑油添加剤組成物の製造
実施例８は、実施例７の組成物と同じであるが、カルボキシレート清浄分散添加剤の代わりにカリウムヒドロキシベンゾエートを用いた。
【０１９２】
［比較例Ｃ］
カルボキシレート清浄分散添加剤を用いなかったこと以外は、実施例７と同様にして比較例Ｃを製造した。アルキルアリールスルホン酸が唯一の界面活性剤であった。
【０１９３】
後記の表５に、性能試験で実施例７と８および比較例Ｃの組成物に使用した添加量をまとめて示す。
【０１９４】
後記の表６に、これら組成物の分析結果を示す。
【０１９５】
表  ５
───────────────────────────────────
添加量                       実施例      比較例
７       ８       Ｃ
───────────────────────────────────
キシレン(１)                    (ｇ)    1042.4   1042.4   1042.4
キシレン(２)                    (ｇ)     260.7    260.7    260.7
キシレン(３)                    (ｇ)     259      259      259
メタノール(１)                  (ｇ)     217.7    217.7    217.7
メタノール(２)                  (ｇ)      61.2     61.2     61.2
水酸化カルシウム(１)            (ｇ)     226.8    226.8    226.8
水酸化カルシウム(２)            (ｇ)      63.7     63.7     63.7
ＣＯ2(１)                       (ｇ)      31.7     31.7     31.7
ＣＯ2(２)                       (ｇ)      65.3     65.3     65.3
ＣＯ2(３)                       (ｇ)      28.2     28.2     28.2
カルボキシレート清浄分散添加剤  (ｇ)     279.8
カリウムヒドロキシベンゾエート  (ｇ)              279.8
アルキルアリールスルホン酸13-30 (ｇ)     303.8    303.8    434
希釈油(６００Ｎ)                (ｇ)     349.2    349.2    498.8
製造量                          (ｇ)    1277.8   1277.8   1277.8
全界面活性剤                             374.1    419.3    368.9
フェノール/全界面活性剤(％)               11.2      5        0
（フェノール+ヒドロキシ安息香酸）/        31       38.4      0
全界面活性剤(％)
％全界面活性剤                            29.3     32.8     28.9
ＴＢＮ/％全界面活性剤                     10.75     9.4      9.9
───────────────────────────────────
【０１９６】
表  ６
───────────────────────────────────
分析                        実施例      比較例
７       ８       Ｃ
───────────────────────────────────
カリウム                    (質量％)      0        1.01     0
カルシウム                  (質量％)     12.13    11.55    11.45
硫黄                        (質量％)      1.63     1.63     2.32
油中の様相                                1/0      1/0      1/0
ＴＢＮ D2896               (mgKOH/g)    315      308      287
％ＣａＳ(ASTM D3712)        (質量％)      0.87     0.87     1.24
カルシウムスルホネート
１００℃粘度(現状で)         (mm2/s)    180      131       70
ASTM D445
粗沈降物(ASTM D2273)         (％v/v)      3        2        2.2
最終沈降物(ASTM D2273)       (％v/v)      0.02     0.02     0.4
───────────────────────────────────
【０１９７】
［性能結果］
実施例７と８の潤滑油組成物の性能並びに比較例Ｃの組成物の性能について、実施例１〜６で使用した「ホットチューブ試験」、並びに下記の記載に従う貯蔵安定性試験および「微小分解」試験を使用して試験を行った。
【０１９８】
１）貯蔵安定性試験
（Ｉ）試験の主目的
潤滑油組成物の貯蔵の安定性を評価するため。
【０１９９】
（II）試験の実施
組成物を８０℃の管に１ヶ月間貯蔵した。
組成物の沈降物の出現（管底部の厚み）を、参照と比較して分類した。
生成物が透明であるほど、また生成物が形成する沈降物が少ないほど、組成物は良好である。
【０２００】
（III）試験の実施パラメータ
試験時間：            １ヶ月間
オーブン温度：        ８０℃
様相：                透明（１）、少しの曇り（２）、中位の曇り（３）
沈降物：              無し（０）、少量（２）、平均（３）、多量（３）
１／０は生成物透明／沈降物無しを意味する
【０２０１】
（IV）試験した配合物
実施例７と８並びに比較例Ｃの組成物について貯蔵安定性の試験をした。
【０２０２】
２）微小分解試験
（Ｉ）試験の主目的
油が高温で堆積物を形成する傾向を評価するため、およびその清浄性クレジットを評価するため。
【０２０３】
（II）試験の実施
油試料を、両端を加熱して温度勾配の制御を行ったアルミニウム製トラフに入れた。温度勾配のある位置でトラフの内壁に堆積物が形成される。
【０２０４】
堆積物が形成され始めた温度を記録した。この温度が高いほど、油は良好であった。
試験時間：            ９０分間
油試料：              １ｃｍ3
温度勾配：            高温位置２８０℃、低温位置２３０℃
【０２０５】
３）性能試験結果
下記の表７に、その結果を記す。
【０２０６】
表  ７
───────────────────────────────────
配合物                          実施例        比較例  
７        ８        Ｃ
───────────────────────────────────
ポリブテンビスコハク酸イミド           1.4%      1.4%      1.4%
ジチオリン酸亜鉛                       0.66%     0.66%     0.66%
本発明の生成物の量1                   12.69%    12.98%
比較例の量1                                               13.93%
消泡剤                                 0.004%    0.004%    0.004%
６００Ｎ基油                          85.24%    84.95%    84.01%
微小分解試験                           242℃     245℃   ＜230℃
貯蔵安定性(１ヶ月８０℃)               1/0       1/0       1/0
ホットチューブ(３２０℃)                9         9       目詰り
───────────────────────────────────
1)ＴＢＮ４０に相当
【０２０７】
比較例Ｃについては、アルミニウム製トラフの表面全体に堆積物が満ちていて、そのことは、堆積物が形成され始めた温度が必然的に２３０℃未満であったことを示している。
【０２０８】
表７の結果は、熱安定性および清浄性クレジットに関しては、本発明に係る組成物（実施例７、８）が比較例Ｃの組成物よりも優れた性状を有することを明らかにしている。
【０２０９】
［実施例９］
過塩基性カルシウムＣ20〜Ｃ24アルキルアリールスルホネートと組み合わせたカリウムＣ20〜Ｃ28アルキルヒドロキシベンゾエートの製造方法
実施例９と１０では、ＴＢＮが前の実施例１〜８よりも低く、そしてスルホン酸界面活性剤がヒドロキシ安息香酸（主要界面活性剤である）に比べて少量で存在する。
【０２１０】
１）予備混合
四つ口反応器に減圧下で３５０rpmで撹拌しながら、キシレン４７３．８ｇを入れた後、キシレン５６８．６ｇ、メタノール（１）９２．５ｇおよび石灰（１）９６．３ｇからなる石灰スラリーを入れた。
全キシレン（１）＝１０４２．４ｇ
【０２１１】
２）アルキルアリールスルホン酸の中和
アルキル鎖が、シェブロン・フィリップス・ケミカル（ＣＰＣ）社より商品名アルファオレフィンＣ20〜Ｃ24で市販されているＣ20〜Ｃ24線状アルファオレフィンであるアルキルアリールスルホン酸１２０ｇを、得られた上記予備混合物に加えた。反応媒体を２０分かけて５０℃に予備加熱し、次いで温度がおよそ２５℃に達するまで１５分間、均質になるままにしておいた。
【０２１２】
３）カリウムアルキルヒドロキシベンゾエートの製造および添加
以下に、カリウムアルキルヒドロキシベンゾエートの製造方法について記載する。
【０２１３】
Ａ）中和工程：
アルキル基を、シェブロン・フィリップス・ケミカル（ＣＰＣ）社より入手したＣ20〜Ｃ28線状アルファオレフィンの混合物から誘導したアルキルフェノール１２００ｇ、およびエチルヘキサノール６３２ｇを、減圧下で撹拌しながら四つ口反応器に入れた。
【０２１４】
反応混合物を１０5Ｐａ（絶対圧）で２５分かけて周囲温度から９５℃に加熱し、次いで５０質量％の水酸化カリウム水溶液３１１．８ｇを加えた。次に、混合物を３時間３０分かけて１９５℃の温度にした。ＫＯＨの純度が８６．４質量％で水：５０質量％であるとき、ＫＯＨの有効量は：３１１．８×０．５×０．８６４＝１３４．７ｇ［ＣＭＲ（ＫＯＨ／アルキルフェノール）＝０．９に相当する］。還流温度が２１０℃に達するまで加熱をますます続け、その温度で２時間維持した。
【０２１５】
次に、溶媒を蒸留するために、温度を１９５℃に低下させながら同時に減圧を４×１０3Ｐａに下げた。６００rpmで撹拌を続けながらこの温度と圧力を３０分間維持した。
【０２１６】
蒸留操作の最後に、粘度が３７．８℃で１００ＳＵＳの１００Ｎ希釈油５５４．２ｇを穏やかに添加した。希釈油を添加し続けながら、温度が１７０℃に達した時点で減圧を中止して窒素でパージした。
【０２１７】
Ｂ）カルボキシ化工程：
上述した中和工程で得られた混合物を、減圧下で撹拌しながらステンレス鋼製反応器に入れた。
【０２１８】
次に、二酸化炭素を３．５×１０5Ｐａの圧力で、１２５℃乃至１３０℃の温度の反応器に６時間かけて加えた。未反応アルキルフェノールおよびカリウムアルキルフェネートと一緒に、Ｃ20〜Ｃ28アルキル鎖を持つカリウムアルキルヒドロキシベンゾエート（アルキルサリチレート）を回収した。
【０２１９】
カリウムＣ20〜Ｃ28アルキルヒドロキシベンゾエート７２０ｇを２０分かけて反応器に加えた。
【０２２０】
４）炭酸塩化
二酸化炭素（１）４３．７ｇを、約３０℃乃至４０℃の温度で９０分かけて反応器に加え、次いでキシレン（２）２６０．７ｇ、メタノール（２）２４．４ｇおよび水酸化カルシウム（２）２５ｇを含む石灰スラリーを反応器に加えた。
【０２２１】
次に、二酸化炭素（２）１３．１ｇを３５℃乃至４３℃の温度で４５分かけて反応器に加えた。
【０２２２】
５）予備蒸留、遠心分離および最終蒸留
反応器に入っている混合物の温度を１１０℃から１３２℃の間に上げた。６００Ｎ希釈油１８１．９ｇおよびキシレン２５９ｇを順次添加した。次に、更に６００Ｎ希釈油１８１．９ｇおよびキシレン（３）２５９ｇを再び順次添加した。得られた混合物をアルファ・レイバル・ジロテスター（商品名）にて遠心分離に掛け、そしてキシレンを除去するためにおよそ２００℃に加熱しながら、同時に１０分間４×１０3Ｐａの部分真空にした。
【０２２３】
後記の表８に、カリウムアルキルヒドロキシベンゾエート（アルキルサリチレート）と過塩基性カルシウムアルキルアリールスルホネートの組合せを生成させるために使用した添加量をまとめて示す。表８には、この組合せの分析結果も示す。
【０２２４】
［実施例１０］
過塩基性カルシウムスルホネートと組み合わせたカリウムＣ20〜Ｃ28アルキルヒドロキシベンゾエートの混合物の製造方法
シェブロン・フィリップス・ケミカル（ＣＰＣ）社より入手した線状Ｃ20〜Ｃ28アルファオレフィン混合物と、ブリティッシュ・ペトロリウム（ＢＰ）社より入手したＣ20〜Ｃ28線状アルファオレフィン混合物との５０／５０（質量）混合物から、この実施例で用いた出発アルキルフェノールを製造したこと以外は、実施例９のようにして実施例１０を製造した。
【０２２５】
［比較例Ｄ］
この比較例では、本発明の生成物を高過塩基性カルシウムアルキルスルホネートで置き換えた。スルホン酸が唯一の界面活性剤である。
【０２２６】
［比較例Ｅ］
この比較例では、本発明の生成物を高過塩基性カルシウムアルキルスルホネートと市販のサリチレートで置き換えた。
【０２２７】
表８及び表９に、添加量および結果の分析をまとめて記す。
【０２２８】
表  ８
───────────────────────────────────
添加量                            実施例      
９       １０
───────────────────────────────────
線状アルキルフェノール
ＣＰＣ(C20-C28オレフィン誘導体)         ％      100%       50%
ＢＰ(C20-C28オレフィン誘導体)           ％       −        50%
ＫＯＨ/アルキルフェノールモル比                  0.9       0.9
石灰(１)                              (ｇ)      96.3      96.3
石灰(２)                              (ｇ)      25        25
メタノール(１)                        (ｇ)      92.5      92.5
メタノール(２)                        (ｇ)      24.4      24.4
キシレン(１)(予備混合)                (ｇ)    1042.4    1042.4
キシレン(２)                          (ｇ)     260.7     260.7
キシレン(３)                          (ｇ)     259       259
ＣＯ2(１)                             (ｇ)      43.7      43.7
ＣＯ2(２)                             (ｇ)      13.1      13.1
アルキルアリールスルホン酸            (ｇ)     120       120
カリウムアルキルサリチレート          (ｇ)     720       720
希釈油(６００Ｎ)                      (ｇ)     181.9     181.9
製造量                                (ｇ)    1170.5    1170.5
全界面活性剤(透析後1)                 (ｇ)     556       556
「フェノール」/全界面活性剤2         (wt/wt)     0.106     0.106
（フェノール+ヒドロキシ安息香酸）/
全界面活性剤                        (wt/wt)     0.82      0.82
全界面活性剤(質量％)                            47.50     47.50
ＴＢＮ/％全界面活性剤                            3.61      3.83
───────────────────────────────────
1)未反応アルキルフェノールを除去するため
2)アルキルフェネート、アルキルサリチレート及びスルホネートは
酸の形で測定した
【０２２９】
表  ９
───────────────────────────────────
分析                             実施例      
９       １０
───────────────────────────────────
線状アルキルフェノール
ＣＰＣ(C20-C28オレフィン誘導体)       (％)      100%       50%
ＢＰ(C20-C28オレフィン誘導体)         (％)       −        50%
ＫＯＨ/アルキルフェノールモル比                  0.9       0.9
過塩基性相
分析                                             −        −
カリウム                            質量％       2.86      2.8
カルシウム                          質量％       5.12      5.44
％ＣａＳ ASTM D3712                 質量％       0.401     −
ＴＢＮ ASTM D2896                  mgKOH/g     171.5     182
サリチル酸1                        mgKOH/g      34.94     29.44
１００℃粘度 ASTM D445             mm2/s        43.94     30.9
油中の様相                         MAO 23       1/0       1/0
色 ASTM D1500                                   2.6DD     6.2D
粗沈降物 ASTM D2273                 容量％       0.60      0.60
最終沈降物 ASTM D2273               容量％       0.02      0.01
───────────────────────────────────
1)ASTM D2896によりmgKOH/gで表した
【０２３０】
［性能試験］
［配合物９及び１０］
実施例９と１０の生成物を用いて製造した潤滑油配合物について、前述した分散性試験およびホットチューブ試験にて試験を行い、配合物９及び１０として表示した。試験した各配合物のＴＢＮは４０であった。
【０２３１】
また、比較配合物Ｄ及びＥも製造したが、配合物９及び１０とは異なって、比較配合物Ｄは本発明の潤滑油添加剤を含有せず、ＴＢＮ４０が過塩基性カルシウムスルホネートのみに依り、また比較配合物Ｅが含有する潤滑油添加剤は、カルシウムＣ14〜Ｃ18アルキルアリールサリチレートと過塩基性カルシウムスルホネートのみである。
【０２３２】
下記の表１０に、これらの試験の結果を表す。
【０２３３】
表  １０
────────────────────────────────────
性能                       実施例         比較例    
９     １０     Ｄ      Ｅ
────────────────────────────────────
線状アルキルフェノール
ＣＰＣ(C20-C28)オレフィン誘導体(％)     100%     50%      −      −
ＢＰ(C20-C28)オレフィン誘導体(％)         −     50%      −      −
ＫＯＨ/アルキルフェノールモル比         0.9     0.9      −      −
配合物
ポリブテンコハク酸イミド                1.4%    1.4%    1.4%    1.4%
ジチオリン酸亜鉛                        0.66%   0.66%   0.66%   0.66%
カルシウムC20-C24アルキルアリール        4.8%    4.8%            4.8%
スルホネート ＴＢＮ４２５1
本発明の生成物の量1                    11.7%   11.0%
比較例の量1                                             9.4%   11.7%
消泡剤                                  0.004%  0.004%  0.004%  0.004%
６００Ｎ基油                           81.44%  82.14   88.54   81.44
分散性試験                              330     349     300     287
３３０℃ホットチューブ試験              9       9     目詰り  目詰り
８０℃で１ヶ月後の配合物の様相          1/0     1/0     1/0     1/1
────────────────────────────────────
1)ＴＢＮ２０に相当
【０２３４】
これらの結果は、配合物９及び１０が比較配合物Ｄ及びＥよりも高い熱安定性を示すとともに、明確な分散および清浄効果を示すことを明らかにしている。